【事件の表示】
　特願２００９−１３７２２２「ウエットティッシュロール用容器」拒絶査定不服審判事件〔平成２２年１２月１６日出願公開、特開２０１０−２８０４３１〕について、次のとおり審決する。
【結　論】
　本件審判の請求は、成り立たない。
【理　由】
１．手続の経緯 
　本願は、平成２１年６月８日の出願であって、平成２３年７月２２日付けで手続補正がなされたものの、平成２３年１０月１３日付けで拒絶査定がなされ、これに対して、平成２４年１月１８日付けで拒絶査定不服審判の請求がなされたものである。
　その後、当審において、平成２４年５月２３日付けで拒絶理由が通知され、これに対して、平成２４年７月２６日付けで意見書が提出されるとともに、同日付けで手続補正がなされたものである。
　
２．補正の経緯
　本願の特許請求の範囲は、願書に最初に添付した特許請求の範囲に
「【請求項１】
　所定長さ間隔をもって切断用のミシン目（Ｔ）を有した帯状ウエットティッシュ（Ｓ）をロール状に巻回してなるウエットティッシュロール（Ｒ）を出し入れ自在に収容する容器であって、容器本体（１）と蓋体（２）とを有したウエットティッシュロール用容器において、
　前記蓋体（２）の上面部にウエットティッシュ挿通穴（２４）を設け、
　該ウエットティッシュ挿通穴（２４）を閉塞する面積を有した弾性材からなり且つ該弾性材の中央付近にウエットティッシュ（Ｓ）を細棒状に絞り込んで前記ミシン目（Ｔ）で切断し得る小孔（４１）を設けたウエットティッシュ取出口部材（４）を、前記蓋体（２）の下面における前記ウエットティッシュ挿通穴（２４）が位置する部分に着脱自在に取付けているとともに、
　前記ウエットティッシュ取出口部材（４）にその外端面から前記小孔（４１）に達する１つの分断部（４２）を形成して、該ウエットティッシュ取出口部材（４）を蓋体（２）から取外した状態で前記分断部（４２）を弾性的に開閉し得るようにしている、
　ことを特徴とするウエットティッシュロール用容器。
【請求項２】
　上記請求項１において、
　前記ウエットティッシュ取出口部材（４）に前記小孔（４１）の内面から前記分断部（４２）とは反対方向に向けて所定小長さの切込部（４３）を形成している、
　ことを特徴とするウエットティッシュロール用容器。」とあるのを、平成２３年７月２２日付け手続補正で
「【請求項１】
　所定長さ間隔をもって切断用のミシン目（Ｔ）を有した帯状ウエットティッシュ（Ｓ）をロール状に巻回してなるウエットティッシュロール（Ｒ）を出し入れ自在に収容する容器であって、容器本体（１）と蓋体（２）とを有したウエットティッシュロール用容器において、
　前記蓋体（２）の上面部にウエットティッシュ挿通穴（２４）と、該ウエットティッシュ挿通穴（２４）の外側を囲う位置の下面部に平面視真円の下向き環状壁（２５）とを設け、
　該ウエットティッシュ挿通穴（２４）を閉塞する面積を有した弾性材からなり且つ該弾性材の中央付近にウエットティッシュ（Ｓ）を細棒状に絞り込んで前記ミシン目（Ｔ）で切断し得る平面視真円の小孔（４１）を設けたウエットティッシュ取出口部材（４）を、前記蓋体（２）の下面における前記下向き環状壁（２５）内に着脱自在に取付けているとともに、
　前記ウエットティッシュ取出口部材（４）は、
　外径が前記下向き環状壁（２５）の内径とほぼ同径の大きさを有する平面視真円の円柱形であって、
　その外端面から前記小孔（４１）に達する１つの切断線状の分断部（４２）を形成して、該ウエットティッシュ取出口部材（４）を蓋体（２）から取外した状態で前記分断部（４２）を弾性的に開閉し得るようにしており、
　前記分断部（４２）の両端面間の間隔を一層大きく広げるための、前記小孔（４１）の内面から前記分断部（４２）とは反対方向に向けて所定小長さの切断線状の切込部（４３）を形成しており、
　下面の周縁部から中央上方へ、前記小孔（４１）に至るまで漸次薄肉にしていることを特徴とするウエットティッシュロール用容器。」と補正され、さらに、平成２４年７月２６日付け手続補正で
「【請求項１】
　所定長さ間隔をもって切断用のミシン目（Ｔ）を有した帯状ウエットティッシュ（Ｓ）をロール状に巻回してなるウエットティッシュロール（Ｒ）を出し入れ自在に収容する容器であって、容器本体（１）と蓋体（２）とを有したウエットティッシュロール用容器において、
　前記蓋体（２）の上面部にウエットティッシュ挿通穴（２４）と、該ウエットティッシュ挿通穴（２４）の外側を囲う位置の下面部に平面視真円の下向き環状壁（２５）とを設け、
　該ウエットティッシュ挿通穴（２４）を閉塞する面積を有した弾性材からなり且つ該弾性材の中央付近にウエットティッシュ（Ｓ）を細棒状に絞り込んで前記ミシン目（Ｔ）で切断し得る平面視真円の小孔（４１）を設けたウエットティッシュ取出口部材（４）を、前記蓋体（２）の下面における前記下向き環状壁（２５）内に着脱自在に取付けているとともに、
　前記ウエットティッシュ取出口部材（４）は、
　外径が前記下向き環状壁（２５）の内径とほぼ同径の大きさを有する平面視真円の円柱形であって、
　その外端面から前記小孔（４１）に達する１つの両断面が弾性復帰によって接合可能な分断部（４２）を形成して、該ウエットティッシュ取出口部材（４）を蓋体（２）から取外した状態で前記分断部（４２）を弾性的に開閉し得るようにしており、
　前記分断部（４２）の両端面間の間隔を一層大きく広げるための、前記小孔（４１）の内面から前記分断部（４２）とは反対方向に向けて所定小長さの両断面が弾性復帰によって接合可能な切込部（４３）を形成しており、
　下面の周縁部から中央上方へ、前記小孔（４１）に至るまでフラットな踊り場のない漸次薄肉にしていることを特徴とするウエットティッシュロール用容器。」と補正された。
　
３．当審の拒絶理由
　当審において平成２４年５月２３日付けで通知した拒絶理由の概要は、以下のとおりである。
　
［拒絶理由１］
　平成２３年７月２２日付けでした手続補正は、下記の点で願書に最初に添付した明細書、特許請求の範囲又は図面に記載した事項の範囲内においてしたものでないから、特許法第１７条の２第３項に規定する要件を満たしていない。
　
（ア）省略 
（イ）補正後の請求項１に記載された「下面の周縁部から中央上方へ、前記小孔（４１）に至るまで漸次薄肉にしている」は、補正前の請求項１に規定された「ウエットティッシュ取出口部材（４）」を特定するものと認められるが、出願当初の明細書には、段落番号【００３７】に、「円盤状（下面側に段差がある）に成形され」と記載されているのみで「漸次薄肉」の記載はなく、【図２】には下面に中央部よりが周辺部より薄肉の部分が形成されていることは認められるが、該薄肉部が審判請求書において引用文献１（特開２００８−７４４５７号公報）に記載されたパッキン下面に形成された漸次薄肉部と相違するとして主張するような「小孔（４１）の近傍にフラットな踊り場を設けることなく小孔（４１）に至るまで漸次薄肉」にすることまで、【図２】に記載されているということはできない。
　
［拒絶理由２］
　この出願の請求項１に係る発明は、その出願前に日本国内又は外国において、頒布された下記の刊行物に記載された発明に基づいて、その出願前にその発明の属する技術の分野における通常の知識を有する者が容易に発明をすることができたものであるから、特許法第２９条第２項の規定により特許を受けることができない。
　
　特開２００８−７４４５７号公報
　
４．当審の判断
４−１．拒絶理由１について
４−１−１．補正の内容
　上記「２．補正の経緯」にあるように、特許請求の範囲の請求項１の記載において、「ウエットティッシュ取出口部材（４）」に関して、平成２３年７月２２日付けでした手続補正により「下面の周縁部から中央上方へ、小孔（４１）に至るまで漸次薄肉にしている」事項が追加され、また、平成２４年７月２６日付けでした手続補正により、上記事項は「下面の周縁部から中央上方へ、小孔（４１）に至るまでフラットな踊り場のない漸次薄肉にしている」と補正された。
　
４−１−２．当初明細書等の記載事項
　上記「ウエットティッシュ取出口部材（４）」に関して、願書に最初に添付した明細書、特許請求の範囲又は図面（以下、「当初明細書等」ともいう。）には、上記「２．補正の経緯」の特許請求の範囲及び以下の記載がある。
（ａ）「【発明が解決しようとする課題】
　ところが、上記した図５（公知）のウエットティッシュロール用容器では、ウエットティッシュロールＲを容器にセットする際に、ウエットティッシュ先端部Ｓａをウエットティッシュ取出口部材１０４の小孔１４１に挿通させる作業が非常に面倒であるあるという問題がある。即ち、該小孔１４１を通して抜き出されるウエットティッシュＳのミシン目を該小孔との摩擦力で切断する必要から、小孔１４１の内径をかなり小径にする必要があり、該小孔１４１が弾性により若干拡縮できるものであっても、ウエットティッシュ先端部Ｓａを小孔１４１に通すには、該ウエットティッシュ先端部Ｓａを例えば極細の押込み棒で小孔１４１内に押し込む必要がある。従って、容器内にウエットティッシュロールＲを補充するたびに、極細の押込み棒が必要でしかも面倒な作業（ウエットティッシュ先端部の小孔内への押込み作業）を行う必要があった。
　そこで、本願発明は、ウエットティッシュロールのウエットティッシュ先端部を容器蓋体のウエットティッシュ取出穴に挿通させる際の作業を、押込み棒なしで且つ比較的簡単に行えるようにしたウエットティッシュロール用容器を提供することを目的としてなされたものである。」（段落【００１０】、【００１１】）
　
（ｂ）「蓋体２の下面（段下げ部２３の下向き環状壁２５内）には、ウエットティッシュ取出口部材４が着脱自在に嵌め込まれている。このウエットティッシュ取出口部材４は、シリコンゴムのような適度に可撓性を有した弾性材で円盤状（下面側に段差がある）に成形されている。
　このウエットティッシュ取出口部材４は、外径が下向き環状壁２５の内径とほぼ同径の大きさ（例えば２０〜２５mm程度の外径）を有している。そして、このウエットティッシュ取出口部材４は、下向き環状壁２５内に蓋体下面側から着脱自在に圧入できるようになっている。尚、ウエットティッシュ取出口部材４を下向き環状壁２５内に圧入した状態（図２）では、下向き環状壁２５の内面との摩擦力によって安定状態で保持される（不用意に脱落しない）とともに、該ウエットティッシュ取出口部材４でウエットティッシュ挿通穴２４を気密的に閉塞し得るようになっている。
　ウエットティッシュ取出口部材４には、その中央付近にウエットティッシュＳを細棒状に絞り込んでミシン目Ｔで切断し得る小孔４１を設けている。この小孔４１の内径は、ウエットティッシュＳを棒状に引き出し得るとともにミシン目Ｔが通過した直後に該ミシン目で切断し得る摩擦力（引き出し抵抗）が働く程度のものであり、例えば２〜４mm程度が適当である。
　ところで、ウエットティッシュ取出口部材４の小孔４１には、ウエットティッシュＳを絞り込んだ状態で挿通させるが、該小孔４１のままであるとウエットティッシュ先端部Ｓａを挿通させる作業が非常に面倒となる。
　そこで、このウエットティッシュ取出口部材４には、図１、図３、図４に示すように、その外端面から小孔４１に達する１つの分断部４２を形成して、該ウエットティッシュ取出口部材４を蓋体２から取外した状態で該分断部４２を弾性的に開放できるようにしている（図３の鎖線図示状態又は図４の実線図示状態）。即ち、ウエットティッシュ取出口部材４を図３の実線図示状態から、分断部４２の両側を摘まんで左右に広げると、該ウエットティッシュ取出口部材４が図３に鎖線図示（符号４′）するように変形して、分断部を符号４２′で示すように広げ得るようになっている（分断部４２′の両端面間の隙間が小孔４１′まで達している）。尚、このウエットティッシュ取出口部材４は、分断部４２の両側を上下反対方向に撓ませても該分断部４２を開放できる。
　又、この実施例では、ウエットティッシュ取出口部材４に小孔４１の内面から分断部４２とは反対に向けて所定小長さの切込部４３（図１及び図４参照）を形成している。このように分断部４２の反対側に切込部４３を設けていると、上記したように分断部４２の両側を摘まんで左右（又は上下）反対方向に撓ませたときに、図４に実線図示するウエットティッシュ取出口部材４のように切込部４３がＶ形に開くことにより、分断部４２の両端面間の間隔を一層大きく広げることができる。」（段落【００３７】〜【００４２】）
　
（ｃ）【図２】
　
４−１−３．判断
　当初の特許請求の範囲及び明細書には、上記したように「ウエットティッシュ取出口部材（４）」に関して、「下面の周縁部から中央上方へ、小孔（４１）に至るまでフラットな踊り場のない漸次薄肉にしている」事項についての記載及び示唆はされていない。
　また、上記事項は、本願の発明が解決しようとする課題（上記記載事項（ａ）参照）とも、何ら関連を有するものでもない。
　そして、上記事項が、当初の特許請求の範囲及び明細書には記載及び示唆されていない状況において、願書に最初に添付した図２に接した当業者は、「ウエットティッシュ取出口部材（４）」の下面に中央部よりが周辺部より薄肉の部分が形成されていることは認識し得るとしても、それが「漸次薄肉」になっていること及び「フラットな踊り場のない」ことまで技術的事項として認識できるものではなく、また、それらの事項は、当業者にとって自明な事項とも認められない。
　よって、補正によって追加された上記各事項は、当初明細書等に記載された事項ではなく、上記各手続補正は、当初明細書等のすべての記載を総合することにより導かれる技術的事項との関係において、新たな技術的事項を導入しないものであるということはできない。
　
　なお、請求人は、平成２４年７月２６日付け意見書第２〜４頁において、本願の図２について、符号や引き出し線等の付記的部分を削除し、その一部を拡大した図を用いて補正の根拠を説明しているが、図面の記載は必ずしも現実の形状を忠実に反映するものとは限らず、しかも、上記のように恣意的に図２の一部を拡大した図に基づいて判断することは許されるべきものでもなく、さらに、上記拡大した図によると、図２の「ウエットティッシュ取出口部材」の下面は、断面円弧状に薄肉とされていて、図２の記載からそれ以外の例えば断面直線状に薄肉にされる場合等も含みうる「漸次薄肉」として技術的事項を認定することは許されるべきものではない。
　
　したがって、平成２３年７月２２日付けでした手続補正は、当初明細書等に記載した事項の範囲内においてしたものとはいえないことより、特許法第１７条の２第３項に規定する要件を満たしていない。また、平成２４年７月２６日付けでした手続補正によっても、上記要件を満たしていないとの拒絶理由１は解消されていない。
　
４−２．拒絶理由２について
　本願の請求項１の記載には、上記のとおり新規事項を含むものではあるが、進歩性についても以下に検討する。
４−２−１．本願発明
　本願の請求項１に係る発明（以下、「本願発明」という。）は、平成２４年７月２６日付けで補正された明細書、特許請求の範囲及び図面の記載からみて、その特許請求の範囲の請求項１に記載された次のとおりのものと認める。
「所定長さ間隔をもって切断用のミシン目（Ｔ）を有した帯状ウエットティッシュ（Ｓ）をロール状に巻回してなるウエットティッシュロール（Ｒ）を出し入れ自在に収容する容器であって、容器本体（１）と蓋体（２）とを有したウエットティッシュロール用容器において、
　前記蓋体（２）の上面部にウエットティッシュ挿通穴（２４）と、該ウエットティッシュ挿通穴（２４）の外側を囲う位置の下面部に平面視真円の下向き環状壁（２５）とを設け、
　該ウエットティッシュ挿通穴（２４）を閉塞する面積を有した弾性材からなり且つ該弾性材の中央付近にウエットティッシュ（Ｓ）を細棒状に絞り込んで前記ミシン目（Ｔ）で切断し得る平面視真円の小孔（４１）を設けたウエットティッシュ取出口部材（４）を、前記蓋体（２）の下面における前記下向き環状壁（２５）内に着脱自在に取付けているとともに、
　前記ウエットティッシュ取出口部材（４）は、
　外径が前記下向き環状壁（２５）の内径とほぼ同径の大きさを有する平面視真円の円柱形であって、
　その外端面から前記小孔（４１）に達する１つの両断面が弾性復帰によって接合可能な分断部（４２）を形成して、該ウエットティッシュ取出口部材（４）を蓋体（２）から取外した状態で前記分断部（４２）を弾性的に開閉し得るようにしており、
　前記分断部（４２）の両端面間の間隔を一層大きく広げるための、前記小孔（４１）の内面から前記分断部（４２）とは反対方向に向けて所定小長さの両断面が弾性復帰によって接合可能な切込部（４３）を形成しており、
　下面の周縁部から中央上方へ、前記小孔（４１）に至るまでフラットな踊り場のない漸次薄肉にしていることを特徴とするウエットティッシュロール用容器。」
　
４−２−２．引用例
　当審で通知した拒絶理由２に引用された、本願出願前に頒布された刊行物である特開２００８−７４４５７号公報（以下、「引用例１」という。）には、以下の各事項が記載されている。
　
（１）「ウェットティッシュ容器の蓋材の取出口部に嵌着するパッキンであって、ゴム弾性を有する楕円状の円板で、中央位置に、外周の形状に相似する楕円状の取出孔を設け、該楕円状の取出孔の短軸線上の一方外側に、前記取出孔に連通して外周に至り上面から下面に至る所定幅のスリット状切欠きを設け、前記楕円状の取出孔の短軸線上の他方外側に、前記スリット状切欠きと対向させて前記取出孔に連通し上面から下面に至る窪み状切欠きを設け、下面の周縁部から中央上方へ、中央部に所定肉厚をもたせて漸次薄肉にし、かつ、蓋材の取出口部に嵌着したときに、前記スリット状切欠きと前記窪み状切欠きが潰れて隙間がなくなって、前記楕円状の取出孔が縮径して円形状の取出孔になることを特徴とする易着脱及び切断ウェットティッシュ用パッキン。」（【請求項１】参照）
　
（２）「 従来、ウェットティッシュ容器の取出口には、使用するときに、引き出されたロール状のウェットティッシュが、所定長さにミシン目から切断させるように、中央に約２ｍｍ径の貫通孔を設けた口部、または、ウェットティッシュの先端の着脱をし易くするため、貫通孔に切欠きをが設けた口部が嵌着されていた。」（段落【０００２】参照）
　
（３）「【発明が解決しようとする課題】
  しかしながら、上述した従来の前者の口部は、ロール紙の先端部の着脱がしにくいことがあり、また、後者の口部を嵌着したものは、切欠きに引き出されるロール紙が引っ掛かって切断できなくなったり、切断後のロール紙の先端部の突出が長く残ることなどがあった。このため、良好な使用感が得られないことから、切欠きを入れることを止めて、詰め替えを想定しない販売形態にすることなどがあった。
  本発明は、上述の従来のウェットティッシュ容器の問題点を解決したものであり、ロール紙の先端部の着脱がし易く、使用時に安定して所定長で切断がし易く、また、切断後のロール紙の先端部の突出長が安定している易着脱及び切断ウェットティッシュ用パッキンを提供するものである。」（段落【０００３】〜【０００４】参照）
　
（４）「図１は、本発明の一実施形態の易着脱及び切断ウェットティッシュ用パッキンの平面図、側面図及び底面図である。図２は、図１のパッキンを蓋材の取出口部に嵌着したときの状態を示す説明図であり、図３は、図１のパッキンを取出口部に嵌着した一例の蓋材の断面図であり、図４は、比較評価に用いたパッキングの平面図である。」（段落【０００８】参照）
　
（５）「本発明のパッキン（１００）は、ウェットティッシュ容器の良好な使用感を得るために、例えば、図３に示す蓋材本体（２１０）の周壁（２１２）に連結帯（２３０）を介して取出口部（２１１）を開閉のする小蓋（２２０）が連結する蓋材（２００）の取出口部に嵌着して使用するものである。その構造は、図１（ａ）乃至（ｃ）に示すように、ゴム弾性を有する楕円状の円板であり、その中央位置に、外周の形状に相似する楕円状の取出孔（１１０）を設け、この楕円状の取出孔の短軸線上の一方外側に、取出孔に連通して外周に至り上面から下面に至る所定幅のスリット状切欠き（１２０）を設け、楕円状の取出孔の短軸線上の他方外側に、スリット状切欠きと対向させて取出孔に連通し上面から下面に至る窪み状切欠き（１３０）を設け、下面の周縁部から中央上方へ、中央部に所定肉厚をもたせて漸次薄肉（１５０）にするものである。そして、本発明のパッキン（１００）は、図２（ａ）に示すように、蓋材（２００）の取出口部（２１１）に嵌着すると、図２（ｂ）に示すように、スリット状切欠き（１２０）と窪み状切欠き（１３０）が潰れて隙間がなくなり、楕円状の取出孔が縮径して円形状の取出孔（１１０）になる。なお、窪み状切欠きを設けないと、蓋材を取出口部に嵌着したときに、取出孔が円形状にならない。
  本発明のパッキンの材質としては、ショア硬度が４５Ａ以上のゴムがよく、特に耐久性や耐内容物（例えば、アルコールなど）が必要な場合には、シリコーンゴムが望ましい。また、適度の肉厚が必要である。」（段落【０００９】〜【００１０】参照）
　
（６）【図１】
（７）【図２】
　上記図２（ａ）には、取出口部（２１１）は、その上面に穴が形成され、下面にパッキン（１００）が嵌着される壁が形成されていることが示されている。また、上記図２（ｂ）には、パッキン（１００）は、平面視円形状であることが示されている。
　
　以上の記載からすると、引用例１には、
　「蓋材の取出口部にパッキンが嵌着されたウェットティッシュ容器であって、
　上記取出口部は、その上面に穴が形成され、下面に上記パッキンが嵌着される壁が形成され、
　上記パッキンは、ゴム弾性を有する楕円状の円板で、中央位置に、外周の形状に相似する楕円状の取出孔を設け、該楕円状の取出孔の短軸線上の一方外側に、前記取出孔に連通して外周に至り上面から下面に至る所定幅のスリット状切欠きを設け、前記楕円状の取出孔の短軸線上の他方外側に、前記スリット状切欠きと対向させて前記取出孔に連通し上面から下面に至る窪み状切欠きを設け、下面の周縁部から中央上方へ、中央部に所定肉厚をもたせて漸次薄肉にし、かつ、蓋材の取出口部に嵌着したときに、前記スリット状切欠きと前記窪み状切欠きが潰れて隙間がなくなって、前記楕円状の取出孔が縮径して円形状の取出孔になり、また、楕円状の前記パッキンが平面視円形になり、
　上記取出孔は、引き出されたロール状のウェットティッシュが、所定長さにミシン目から切断させるようになっているウェットティッシュ容器。」の発明（以下、「引用発明」という。）が記載されていると認められる。
　
４−２−３．対比
　本願発明と引用発明とを対比すると、
　引用発明の「ロール状のウェットティッシュ」、「蓋材」、「パッキン」及び「ウエットティッシュ容器」は、それぞれ本願発明の「ウエットティッシュロール」、「蓋体」、「ウエットティッシュ取出口部材」及び「ウエットティッシュロール用容器」に相当し、
　また、引用発明の「ロール状のウェットティッシュ」は、本願発明でいう「帯状ウエットティッシュをロール状に巻回してなる」ものといえる。
　ここで、本願発明に用いられている「平面視真円」の意味するところを検討すると、平成２３年７月２２日付け手続補正書とともに提出された意見書第２〜３頁に補正の根拠として、図１及び図３等を挙げ、また、同第４頁に「（Ａ）本発明では、ウエットティッシュ取出口部材（４）の外径と下向き環状壁（２５）の内径とがほぼ同径の大きさで、両者の形状も真円と同一であるのに対して、引用発明では、取出口部に嵌着するパッキンが、元は楕円状であるが、蓋材の取出口部に嵌着したときに縮径して真円状になる点（引用文献２の図２（ｂ）を参照。）、（Ｂ）本発明では、小孔（４１）が真円であるのに対して、引用発明では、取出孔が、元は楕円状であるが、蓋材の取出口部に嵌着したときに縮径して真円状になる点（引用文献２の図２（ｂ）を参照。）」と記載されていることからすると、「平面視真円」とは、平面視において楕円状ではない円と解するのが相当であり、引用発明の「パッキン」及びそれに設けられている「取出孔」は、何れも蓋材の取出口部に嵌着されたきには、本願発明でいう「平面視真円」であるものと認められる。
　そして、引用発明の取出口部の上面に形成された「穴」は、本願発明の「ウエットティッシュ挿通穴」に相当し、下面に形成されたパッキンが嵌着される「壁」は、平面視円形状となるパッキンが嵌着されることから、本願補正発明の平面視真円の下向き「環状壁」に相当し、
　引用発明の「パッキン」は、ゴム弾性を有することから本願発明でいう「弾性材」といえ、また、当然に取出口部の上面に形成された穴を「閉塞する面積を有し」ているものであり、そして、ある程度の厚さを備えていることから、本願発明でいう「外径が前記下向き環状壁の内径とほぼ同径の大きさを有する平面視真円の円柱形」といえ、引用発明のパッキンの取出口部への「嵌着」は、ウエットティッシュの詰め替え時に行うことを考慮すれば、本願発明でいう「着脱自在に取付け」ることといえ、
　引用発明のパッキンに設けられている「取出孔」は、引き出されたロール状のウェットティッシュが、所定長さにミシン目から切断させるようになっていることから、本願発明でいうウエットティッシュを細棒状に絞り込んで前記ミシン目で切断し得る平面視真円の「小孔」に相当し、
　引用発明の「スリット状切欠き」及び「窪み状切欠き」は、それぞれ本願発明の「分断部」及び「切込部」に対応するものであることから、両者は、
「所定長さ間隔をもって切断用のミシン目を有した帯状ウエットティッシュをロール状に巻回してなるウエットティッシュロールを出し入れ自在に収容する容器であって、容器本体と蓋体とを有したウエットティッシュロール用容器において、
　前記蓋体の上面部にウエットティッシュ挿通穴と、該ウエットティッシュ挿通穴の外側を囲う位置の下面部に平面視真円の下向き環状壁とを設け、
　該ウエットティッシュ挿通穴を閉塞する面積を有した弾性材からなり且つ該弾性材の中央付近にウエットティッシュを細棒状に絞り込んで前記ミシン目で切断し得る平面視真円の小孔を設けたウエットティッシュ取出口部材を、前記蓋体の下面における前記下向き環状壁内に着脱自在に取付けているとともに、
　前記ウエットティッシュ取出口部材は、
　外径が前記下向き環状壁の内径とほぼ同径の大きさを有する平面視真円の円柱形であって、
　その外端面から前記小孔に達する１つの分断部を形成して、
　前記小孔の内面から前記分断部とは反対方向に向けて所定小長さの切込部を形成しているウエットティッシュロール用容器。」
　である点で一致し、以下の各点で相違する。
　
　相違点１；本願発明では、ウエットティッシュ取出口部材の外端面から小孔に達する１つの分断部が、両断面が弾性復帰によって接合可能なものであって、ウエットティッシュ取出口部材を蓋体から取外した状態で前記分断部を弾性的に開閉し得るようにしており、また、小孔の内面から前記分断部とは反対方向に向けて所定小長さの切込部は、前記分断部の両端面間の間隔を一層大きく広げるためのものであり、両断面が弾性復帰によって接合可能なものであるのに対し、引用発明では、蓋材の取出口部に嵌着したときに、スリット状切欠きと窪み状切欠きが潰れて隙間がなくなって、楕円状の取出孔が縮径して円形状の取出孔になり、また、楕円状のパッキンが平面視円形になるものである点。
　
　相違点２；本願発明では、ウエットティッシュ取出口部材は、下面の周縁
部から中央上方へ、小孔に至るまでフラットな踊り場のない漸次薄肉にしているのに対し、引用発明では、パッキンは、楕円状の取出孔の下面の周縁部から中央上方へ、中央部に所定肉厚をもたせて漸次薄肉にしているが、取出孔に至るまでフラットな踊り場がないとはされていない点。
　
４−２−４．判断
　上記各相違点について検討すると、
・相違点１について
　引用発明のパッキン及びそれに設けられている取出孔は、何れも蓋材の取出口部に嵌着されたときには、本願発明と同様に「平面視真円」であり、ウェットティッシュを引き出して切断する際の作用においては、本願発明と比較して格別な差があるものではない。
　また、本願発明に係る「ウエットティシュ取出口部材」も蓋体から取外してウエットティッシュロールから引き出したウエットティッシュの先端部を小孔に挿通するとき、分断部を弾性復帰する力に抗して撓ませ隙間を形成する際は、「ウエットティシュ取出口部材」及び「小孔」も広げられて真円ではなくなるものであり、本願発明と引用発明との差は、単に「ウエットティシュ取出口部材」が蓋体から取外した状態でスリット（「分断部」と「切込部」または「スリット状切欠き」と「窪み状切欠き」）に隙間が生じているか否かの相違であって、その相違によりウエットティシュの挿通に係る作業に差が生じるものの格別な差とは認められない。
　請求人は、平成２４年７月２６日付け意見書第５頁において、「ウエットティッシュ取出口部材（４）を下向き環状壁（２５）に挿着する際には、全くウエットティッシュ取出口部材（４）に力を加えて潰す必要がない点に格別の技術的意義は認められる」と主張しているが、本願発明は引用発明とは反対に、ウエットティッシュの先端部を小孔に挿通するとき、分断部を弾性復帰する力に抗して撓ませ隙間を形成するように力を加える必要があるもので、両者の効果の優劣を一概に判断することはできるものではなく、両者のうちどちらを採用するかは、当業者が設計上適宜に選択しうる事項と認められる。
　よって、引用発明のパッキンにおいて、蓋体から取外した状態で隙間が生じているスリットに代えて、蓋体から取外した状態で両断面が弾性復帰によって接合可能なスリットを採用し、上記相違点１の本願発明のようになすことは、当業者が容易になし得たものである。
　
・相違点２について
　引用発明に係る引用例１の図１（ｃ）及び図２（ａ）には、パッキンの下面の中央部付近にフラットな部分が見受けられるものの、このフラットな部分を形成することが引用発明において必須の事項とは認められず、該フラットな部分を設けるか否かは、設計上適宜に決め得る事項と認められることから、
　引用発明において、パッキンの下面の中央部付近にフラットな部分を設けることなく、上記相違点２の本願発明のようになすことは、当業者が容易になし得たものである。
　また、本願発明が「フラットな踊り場のない」としていることの、技術的意義及び作用効果等は、発明の詳細な説明において開示されているものでもない。
　
　なお、請求人は、上記意見書第５〜７頁において、上記相違点２に関して、本願発明と引用例１に記載されたものとの比較実験をした補充資料を提示し、本願発明の効果の主張をしているが、本願の当初明細書等において明らかにしていなかった「発明の効果」について、進歩性の判断において、出願の後に補充した実験結果等を参酌することは、特段の事情のない限り許されるものではないとされているところ（知財高裁判決；平成２１年（行ケ）第１０２３８号）、当初明細書等に上記相違点２に係る「発明の効果」のみならず、その構成すら当初の特許請求の範囲及び明細書に記載されていない本願において、特段の事情は認められず、上記補充資料に基づいた本願発明の効果を参酌することは許されない。
　
　したがって、本願発明は、引用発明に基づいて、当業者が容易に発明をすることができたものであり、特許法第２９条第２項の規定により特許を受けることができない。
　
５．むすび
　以上のとおり、この出願は、特許法第１７条の２第３項に規定する要件を満たしていなく、
　または、本願発明は、特許法第２９条第２項の規定により特許を受けることができないものでもあるから、
　本願は、拒絶をすべきものである。
　よって、結論のとおり審決する。